(57)【特許請求の範囲】
【請求項１】
車体のルーフパネルの室内面に装着される成形天井並びに各種アクセサリーパーツをルーフパネルに一体に組み付ける成形天井におけるモジュール化構造であって、前記アクセサリーパーツの取付座面にリテーナが装着され、このリテーナの先端面には、クリップが装備されるとともに、成形天井の開口、あるいは成形天井裏面に装着される樹脂製ブラケットの開口に対してアクセサリーパーツを仮保持する仮保持手段が設けられた成形天井におけるモジュール化構造において、
前記仮保持手段は、リテーナの外側面に設けられ、成形天井開口縁部に弾接するバネ片からなるとともに、このバネ片によりリテーナを成形天井の取付用開口に対して取付方向に沿ってスライド自在な状態で仮保持して、成形天井をルーフパネルの室内面に取り付けた後、アクセサリーパーツのリテーナをパネル側に押し込んで、ルーフパネルに対して成形天井並びにアクセサリーパーツをクリップを介して一体的に固定することを特徴とする成形天井におけるモジュール化構造。
【請求項２】
車体のルーフパネルの室内面に装着される成形天井並びに各種アクセサリーパーツをルーフパネルに一体に組み付ける成形天井におけるモジュール化構造であって、前記アクセサリーパーツの取付座面にリテーナが装着され、このリテーナの先端面には、クリップが装備されるとともに、成形天井の開口、あるいは成形天井裏面に装着される樹脂製ブラケットの開口に対してアクセサリーパーツを仮保持する仮保持手段が設けられた成形天井におけるモジュール化構造において、
前記仮保持手段は、リテーナの下面に装着されるクリップに設けられ、成形天井開口縁部と弾接する羽根片からなるとともに、この羽根片によりリテーナを成形天井の取付用開口に対して取付方向に沿ってスライド自在な状態で仮保持して、成形天井をルーフパネルの室内面に取り付けた後、アクセサリーパーツのリテーナをパネル側に押し込んで、ルーフパネルに対して成形天井並びにアクセサリーパーツをクリップを介して一体的に固定することを特徴とする成形天井におけるモジュール化構造。
【請求項３】
車体のルーフパネルの室内面に装着される成形天井並びに各種アクセサリーパーツをルーフパネルに一体に組み付ける成形天井におけるモジュール化構造であって、前記アクセサリーパーツの取付座面にリテーナが装着され、このリテーナの先端面には、クリップが装備されるとともに、成形天井の開口、あるいは成形天井裏面に装着される樹脂製ブラケットの開口に対してアクセサリーパーツを仮保持する仮保持手段が設けられた成形天井におけるモジュール化構造において、
前記仮保持手段は、アクセサリーパーツの取付座面に装着されるリテーナを２ピース体から構成し、かつ各ピース体のフランジにより、成形天井を挟み込めるように、２ピース体の一方側を成形天井の取付用開口に対して取付方向に沿ってスライド自在な状態で仮保持して、成形天井をルーフパネルの室内面に取り付けた後、２ピース体の一方側のみをパネル側に押し込んで、ルーフパネルに対して成形天井並びにアクセサリーパーツをクリップを介して一体的に固定することを特徴とする成形天井におけるモジュール化構造。
【請求項４】
車体のルーフパネルの室内面に装着される成形天井並びに各種アクセサリーパーツをルーフパネルに一体に組み付ける成形天井におけるモジュール化構造であって、前記アクセサリーパーツの取付座面にリテーナが装着され、このリテーナの先端面には、クリップが装備されるとともに、成形天井の開口、あるいは成形天井裏面に装着される樹脂製ブラケットの開口に対してアクセサリーパーツを仮保持する仮保持手段が設けられた成形天井におけるモジュール化構造において、
前記アクセサリーパーツの取付座面に装着されるリテーナの外周に成形天井の開口縁部と干渉する薄肉フランジを設け、この薄肉フランジの干渉作用により、リテーナを成形天井の取付用開口に対して取付方向に沿ってスライド自在な状態で仮保持して、成形天井をルーフパネルの室内面に取り付けた後、アクセサリーパーツのリテーナをパネル側に押し込んで、ルーフパネルに対して成形天井並びにアクセサリーパーツをクリップを介して一体的に固定することを特徴とする成形天井におけるモジュール化構造。
【請求項５】
車体のルーフパネルの室内面に装着される成形天井並びに各種アクセサリーパーツをルーフパネルに一体に組み付ける成形天井におけるモジュール化構造であって、前記アクセサリーパーツの取付座面にリテーナが装着され、このリテーナの先端面には、クリップが装備されるとともに、成形天井の開口、あるいは成形天井裏面に装着される樹脂製ブラケットの開口に対してアクセサリーパーツを仮保持する仮保持手段が設けられた成形天井におけるモジュール化構造において、
前記成形天井のアクセサリーパーツ取付用開口の裏面に装着される樹脂製ブラケットにリテーナに対して弾接するバネ片からなる仮保持手段が設けられているとともに、このバネ片により、リテーナを成形天井の取付用開口に対して取付方向に沿ってスライド自在な状態で仮保持して、成形天井をルーフパネルの室内面に取り付けた後、アクセサリーパーツのリテーナをパネル側に押し込んで、ルーフパネルに対して成形天井並びにアクセサリーパーツをクリップを介して一体的に固定することを特徴とする成形天井におけるモジュール化構造。
【請求項６】
アクセサリーパーツを仮保持した成形天井をルーフパネルに取り付ける際、成形天井裏面に装着した樹脂製ブラケットに対してアクセサリーパーツの取付座面に装着されたリテーナが取付方向に沿ってスライド動作する際のガイド機構が設けられていることを特徴とする請求項１乃至５のいずれかに記載の成形天井におけるモジュール化構造。
【請求項７】
アクセサリーパーツがアシストグリップであり、アシストグリップの両端に設定されている取付座面に装着されるリテーナの先端面に脱落防止用のストッパーフランジが形成され、該ストッパーフランジの外側に延長部が設けられるとともに、内側に切欠き部が形成されていることを特徴とする請求項１乃至６のいずれかに記載の成形天井におけるモジュール化構造。
【請求項８】
ストッパーフランジの内側に形成される切欠き部には、ガイド用傾斜面が設けられていることを特徴とする請求項７に記載の成形天井におけるモジュール化構造。
【発明の詳細な説明】
【０００１】
【発明の属する技術分野】
この発明は、成形天井におけるモジュール化構造に関するもので、ルーフパネルの室内面に成形天井を取り付ける際、成形天井の室内面に装着されるアシストグリップ、ルームミラーハウジング、フック等のアクセサリーパーツの同時組付けを円滑な操作性で可能にした成形天井におけるモジュール化構造に関する。
【０００２】
【従来の技術】
通常、車体のルーフ部には、ルーフパネルの室内側に成形天井が内装され、成形天井の室内側には、アシストグリップ、ルームミラー用ブラケット、サンバイザ用ブラケット、フック等の各種アクセサリーパーツが装着される。
【０００３】
アクセサリーパーツの一例として、急カーブ時など、適正な乗車姿勢を維持できるようにルーフ側縁部に取り付けられるアシストグリップとルーフトリムをルーフパネルに取り付ける取付構造について、図１４を基に説明すると、成形天井１は、僅かに湾曲したパネル形状に成形され、適度の保形性を有する天井基材１ａの表面にクロス等の表皮材１ｂを貼着して構成されている。
【０００４】
そして、成形天井１とアシストグリップ２をルーフパネル３に取り付けるには、まず、成形天井１をアシストグリップ２の取付ベース２ａとクリップ４で挟み込み、ビス５で固定する。
【０００５】
更に、アシストグリップ２を組み付けた成形天井１をルーフパネル３に位置決めした後、クリップ４をルーフパネル３の取付孔３ａに係着することにより、図１５に示すように、ルーフパネル３に対して成形天井１及びアシストグリップ２を一体に組付け固定している。
【０００６】
【発明が解決しようとする課題】
このように、成形天井１をアシストグリップ２のベース部２ａとクリップ４で挟み付けた状態でルーフパネル３に同時組付けするというモジュール化構造においては、ルーフパネル３の取付面に対して車体組付け方向が約４５°異なるため、ルーフパネル３の取付孔３ａにクリップ４を挿入しづらく、作業性を低下させる大きな要因となっている。
【０００７】
更に、車体ユニット（ハーネス、フィーダー、ブラケット、カーテンエアバック等）がルーフパネル３に装備されている場合には、図１４中符号ａで示す部分に設定されることがあるため、天井の取付軌跡でクリップ４がこれら車体ユニットと干渉し、クリアランスを充分に確保しなければモジュール化が困難となり、スペース的な制約が大きいという問題点が指摘されている。
【０００８】
この発明は、このような事情に鑑みてなされたもので、アシストグリップ、フック、ルームミラー用ブラケット等のアクセサリーパーツを成形天井と一括して車体側に取り付けることができる成形天井におけるモジュール化構造において、車体パネルに装備される車体ユニットとの干渉が回避できるとともに、アクセサリーパーツの円滑な取付作業性が期待できる成形天井におけるモジュール化構造を提供することを目的とする。
【０００９】
【課題を解決するための手段】
上記目的を達成するために、本願発明は、車体のルーフパネルの室内面に装着される成形天井並びに各種アクセサリーパーツをルーフパネルに一体に組み付ける成形天井におけるモジュール化構造であって、前記アクセサリーパーツの取付座面にリテーナが装着され、このリテーナの先端面には、クリップが装備されるとともに、成形天井の開口、あるいは成形天井裏面に装着される樹脂製ブラケットの開口に対してアクセサリーパーツを仮保持する仮保持手段が設けられた成形天井におけるモジュール化構造において、前記仮保持手段は、リテーナの外側面に設けられ、成形天井開口縁部に弾接するバネ片からなるとともに、このバネ片によりリテーナを成形天井の取付用開口に対して取付方向に沿ってスライド自在な状態で仮保持して、成形天井をルーフパネルの室内面に取り付けた後、アクセサリーパーツのリテーナをパネル側に押し込んで、ルーフパネルに対して成形天井並びにアクセサリーパーツをクリップを介して一体的に固定することを特徴とする。
【００１０】
ここで、成形天井は、軽量で適度の保形性並びに良好な手触り感、外観見栄えを備えることが望ましいことから、発泡樹脂板、繊維板等の成形基材の表面にクロス、不織布等の表皮を貼付したものが好ましい。
【００１１】
更に、アクセサリーパーツとしては、アシストグリップ、ルームランプ用ブラケット、ルームミラー用ブラケット、サンバイザ用ホルダ、フック等が挙げられる。
【００１２】
そして、請求項１に記載の発明によれば、アクセサリーパーツの取付台座の取付面に装着されているリテーナが取付方向にスライド自在であり、通常は自重により下に下がっているため、ルーフパネルに取り付ける際、車体ユニットとの干渉が回避できる。
【００１３】
更に、クリップをルーフパネルの取付孔に挿入する際、リテーナを面直方向に挿入できるため、成形天井の弾力性に左右されることなく、精度の良い取り付けが期待できる。
【００１４】
また、リテーナがストローク機構のブラケットだけでなく、ルーフパネル組付け時におけるアシストブラケットの台座と同様の機能があるため、ルーフパネル側のブラケットを廃止できる。
【００１６】
ここで、成形天井にアクセサリーパーツを仮保持させる機能は、成形天井とアクセサリーパーツとのモジュール化を図るために重要な要件であり、まず、アクセサリーパーツの取付台座に装着させる樹脂製のリテーナに成形天井の開口縁部、あるいは成形天井裏面のブラケットの開口縁部のいずれかに弾接するバネ片を設けて、バネ片の弾性作用により、アクセサリーパーツを仮保持させても良く、また、リテーナの下面に取り付けられるクリップに羽根片や係合フランジを設けるようにしても良い。
【００１７】
また、成形天井を表面と裏面から挟み付けるようにリテーナを上下２分割体とし、各２ピースのフランジにより、成形天井を表裏から挟み付けるようにしてアクセサリーパーツを保持するようにしても良く、また、成形天井の開口縁部と干渉するフランジを薄肉状に形成して、リテーナ先端面の挿入フランジとこのフランジとで成形天井を表裏面側から挟み込んで、アクセサリーパーツを仮保持しても良い。
【００１８】
更に、成形天井の裏面に組み付けられる樹脂製ブラケットに、バネ片を設けるか、あるいは樹脂製ブラケットのフランジに孔を設け、リテーナから突起等を嵌合可能にリテーナと樹脂製ブラケットを組み付けるようにして、アクセサリーパーツを仮保持させるようにしても良い。
【００１９】
そして、上述した実施形態によれば、アクセサリーパーツを成形天井の取付箇所に仮保持手段を介して確実に装着できるため、成形天井をルーフパネルに対して一人作業で簡単かつ迅速に取り付けることができる。
【００２０】
次いで、本願発明の更に別の実施形態は、アクセサリーパーツを仮保持した成形天井をルーフパネルに取り付ける際、成形天井裏面に装着した樹脂製ブラケットに対してアクセサリーパーツの取付座面に装着されたリテーナが取付方向に沿ってスライド動作する際のガイド機構が設けられていることを特徴とする。
【００２１】
ここで、リテーナのスライド動作をガイドするように、樹脂製ブラケットには、リテーナの外周にボスや縦壁状のリブ等、ガイド機能を持つものであれば形状を限定するものではない。
【００２２】
そして、この実施形態によれば、アクセサリーパーツを仮保持した成形天井をルーフパネルに対して装着した後、ルーフパネルの取付孔内にクリップを係着するように、アクセサリーパーツの取付台座に装着したリテーナをパネル側に押し込めば、樹脂製ブラケットの収容スペース内でリテーナがスライド方向に良好にガイドされ、過度の取付応力を必要とすることなく、クリップの取付孔への係着作業を簡単に完了させることができる。
【００２３】
更に、本願発明の更に別の実施形態は、アクセサリーパーツがアシストグリップであり、アシストグリップの両端に設定されている取付座面に装着されるリテーナの先端面に脱落防止用のストッパーフランジが形成され、該ストッパーフランジの外側に延長部が設けられるとともに、内側に切欠き部が形成されていることを特徴とする。
【００２４】
そして、この実施形態によれば、アシストグリップの片側を成形天井の開口内に挿入した後、アシストグリップを撓ませて、反対側を成形天井の開口内に差し込めば、アシストグリップの撓み力がストッパーフランジの外側の延長部に作用するため、アシストグリップを成形天井側に確実に保持できる。
【００２５】
また、ストッパーフランジの内側にガイド用傾斜面を形成しておけば、アシストグリップを成形天井に仮止めする作業がやり易い。
【００２６】
【発明の実施の形態】
以下、本発明に係る成形天井におけるモジュール化構造の実施形態について、添付図面を参照しながら詳細に説明する。
【００２７】
図１は本発明に係るモジュール化を採用した成形天井を裏面側から見た斜視図、図２乃至図６はアクセサリーパーツとしてアシストグリップと成形天井をルーフパネルに取り付けるモジュール化構造の第１実施形態を示すもので、図２，図３は成形天井にアシストグリップを仮保持した状態を示す各断面図、図４，図５は成形天井、アシストグリップを車体パネルに取り付けた状態を示す各断面図、図６はリテーナを示す側面図である。
【００２８】
また、図７乃至図１２は本発明に係るモジュール化におけるアシストグリップの仮保持手段のバリエーションを示す各説明図、図１３は本発明に係るモジュール化構造におけるリテーナとブラケットとのガイド機構の各バリエーションを示す説明図である。
【００２９】
図１において、成形天井１０は、ルーフパネルの形状に略等しく、やや湾曲状に成形され、フロント縁部には、サンバイザ１１のブラケット１２やホルダ１３及びルームミラー用ブラケット１４が装着され、成形天井１０の側縁部には、アシストグリップ２０（一箇所のみ図示）が装着される。そして、成形天井１０をパネルに取り付ける際、上述した各部品（アクセサリーパーツ）をパネルに同時に組付け固定されるいわゆるモジュール化が採用されている。
【００３０】
図２乃至図６は、本発明の第１実施形態を示すもので、成形天井１０とアシストグリップ２０との間のモジュール化構造に適用した具体例を示す。
【００３１】
すなわち、成形天井１０は、この実施形態では、ＰＰＯ（ポリフェニレンオキシド）基材１０ａの表面にクロスからなる表皮材１０ｂが貼付されており、アシストグリップ２０を取り付けるための矩形状の開口１５が開設されている。
【００３２】
そして、この成形天井１０の裏面には、ＰＰ（ポリプロピレン）樹脂等の射出成形体からなるサイドブラケット３０が固定されている。このサイドブラケット３０は、成形天井１０の取付用開口１５に略等しい開口３１が設けられており、取付用ボス３２を成形天井の図示しない取付孔内に挿入した後、先端を超音波溶着加工によりカシメ加工することにより、成形天井１０の裏面に固定される。このサイドブラケット３０は、成形天井１０とルーフパネル４０との間のスペーサ機能及び補強機能を備えている。
【００３３】
次いで、アシストグリップ２０の取付部の構成について説明すると、アシストグリップ２０は、金属芯金２１の周囲を感触の良好な樹脂被覆２２で被包して構成されており、樹脂成形体からなる取付台座２３が金属芯金２１の端末に差し込まれており、この取付台座２３の下面にポリアセタール樹脂、ナイロン樹脂（ポリアミド樹脂）等、比較的弾性に富む樹脂からなるリテーナ５０が取り付けられている。更に、取付台座２３の取付孔２３ａやリテーナ５０の取付孔５０ａを挿通させたビス２４を介してクリップ６０が一体化されている。尚、ビス２４の取付部を隠すようにキャップ２５がビス２４の締付け作業後、取付台座２３に嵌着されて取付部の体裁を整えている。
【００３４】
尚、リテーナ５０の下面には、アシストグリップ２０を成形天井１０に仮保持させる際に脱落を防止するためのストッパーフランジ５１が形成されている。
【００３５】
次いで、アシストグリップ２０と成形天井１０のモジュール化構造について説明すると、図２，図３に示すように、アシストグリップ２０の取付台座２３にリテーナ５０及びクリップ６０をビス２４により一体化した後、クリップ６０の先端側から成形天井１０の取付用開口１５内に挿入するが、このとき、リテーナ５０のストッパーフランジ５１の長さが成形天井１０の裏面に固着されているサイドブラケット３０の開口３１の長さよりも若干長く設定されているため、リテーナ５０のストッパーフランジ５１をサイドブラケット３０内に挿入した後は、アシストグリップ２０は成形天井１０から脱落することがなく、成形天井１０に対してアシストグリップ２０を確実に仮保持できる。
【００３６】
従って、ルーフパネル４０の取付孔４１の近傍部分に車体ユニット（ハーネス、フィーダー、ブラケット、カーテンエアバック等）４２が位置しても、アシストグリップ２０は自重によりリテーナ５０のほとんどの部分が車室内に臨んでいるため、車体ユニット４２と干渉することがなく、アシストグリップ２０をモジュール化した成形天井１０をルーフパネル４０に簡単に一人作業で位置決めでき、図示しない固定手段により成形天井１０を簡単にルーフパネル４０に取り付けることができる。
【００３７】
このとき、リテーナ５０のストッパーフランジ５１が外側に偏位して設けられていれば、すなわち、外側に延長部５１ａが延長され、内側に切欠き５１ｂが切欠されていれば、アシストグリップ２０を成形天井１０に仮装着する際、内側に向けて撓ませれば装着作業がやり易く、かつ、アシストグリップ２０を仮装着した後は、反発力が外側に向くため、アシストグリップ２０を成形天井１０に確実に保持できる。
【００３８】
その後、図４，図５に示すように、アシストグリップ２０の取付台座２３をルーフパネル４０側に略４５°の傾斜角度（パネルと面直方向）で押し込めば、リテーナ５０がパネル面直方向にスライドして、リテーナ５０に取り付けられているクリップ６０がルーフパネル４０の取付孔４１内に簡単かつ確実に係着固定される。
【００３９】
従って、車体ユニット４２の干渉を有効に避けることができ、かつルーフパネル４０の面直方向に取付力を作用させることができ、簡単かつ精度良くアシストグリップ２０をルーフパネル４０に対して取付固定できる。
【００４０】
更に、アシストグリップ２０を成形天井１０に仮保持するときは、リテーナ５０の両側面に設けたバネ片５２が成形天井１０の取付用開口１５の縁部と弾接してアシストグリップ２０を成形天井１０にスナップフィット式に仮保持できる。
【００４１】
従って、成形天井１０を取り付けた後は、アシストグリップ２０の取付台座２３をルーフパネル４０側に押し込めば、リテーナ５０の両側面に設けたバネ片５２が弾性変形しつつリテーナ５０はサイドブラケット３０の収容スペース内でガイド用ボス３３に沿ってスライドして、クリップ６０がパネル４０の取付孔４１内に係着することにより、簡単かつ確実にアシストグリップ２０をルーフパネル４０に取付固定することができる。
【００４２】
そして、この実施形態によれば、リテーナ５０の両側面にスナップフィット式に嵌合するバネ片５２を形成したため、アシストグリップ２０の仮保持状態においてガタツクことがなく、モジュール化した成形天井１０の取付作業性が向上するという利点がある。
【００４３】
尚、図６に示すように、リテーナ５０におけるストッパーフランジ５１の内側にガイド用傾斜面５１ｃを形成しておけば、リテーナ５０を成形天井１０の開口１５内に挿入する作業が円滑に行なえる。
【００４４】
図７（ａ）〜（ｄ）は、バネ片５２の変形例を示すもので、（ａ）吊りバネタイプ門型爪５２ａ、（ｂ）羽根変形バネ片５２ｂ、（ｃ）門型爪５２ｃ、（ｄ）ボッチ５２ｄをリテーナ５０の両側面に形成しても、バネ片５２と同様の作用効果が得られる。
【００４５】
更に、リテーナ５０にバネ片５２を形成するのではなく、クリップ６０に図８（ａ）に示すように、羽根片６１、あるいは図８（ｂ）に示すように、嵌合フランジ６２を形成しても良く、羽根片６１や嵌合フランジ６２の弾性作用により、アシストグリップ２０を成形天井１０に確実に仮保持でき、かつ取付時は、弾性を利用して、仮保持状態からパネル固定状態にスムーズに移行できる。
【００４６】
次いで、本発明に係るモジュール化構造の第２実施形態乃至第６実施形態について、図９乃至図１３を基に説明する。
【００４７】
まず、図９に示すように、本願の第２実施形態において、リテーナ５０を２ピース体５０Ａ，５０Ｂのスライドタイプで構成しても良く、その場合、一方側のピース体５０Ａに形成するストッパーフランジ５１は、成形天井１０の裏面側に位置し、他方側のピース体５０Ｂのフランジ５３は、成形天井１０の表面側に位置し、両フランジ５１，５３により成形天井１０を表裏側から挟み付けることにより、アシストグリップ２０を確実に仮保持状態とすることができ、成形天井１０をルーフパネル４０に取り付けた後、アシストグリップ２０の取付台座２３をパネル側に押し込めば、一方側のピース体５０Ａがサイドブラケット３０内をスライドして、クリップ６０がルーフパネル４０の取付孔４１内に確実に係着して、アシストグリップ２０を取り付けることができる。
【００４８】
同様の方法で、図１０に示すように、第３実施形態において、リテーナ５０の側面に破断用フランジ５４を形成して、ストッパーフランジ５１が成形天井１０の裏面側に位置し、破断用フランジ５４が成形天井１０の表面側に位置して、両フランジ５１，５４により成形天井１０を表面側から挟み込んでアシストグリップ２０を仮保持状態としても良く、この場合は、アシストグリップ２０の取付台座２３をパネル側に押し込めば、破断用フランジ５４が破断して、リテーナ５０はサイドブラケット３０内をスライド動作して、クリップ６０がルーフパネル４０の取付孔４１内に係着することにより、アシストグリップ２０の取り付けが完了する。
【００４９】
更に、図１１に示すものは、第４実施形態であり、サイドブラケット３０にバネ片３４が形成されており、成形天井１０とサイドブラケット３０のバネ片３４によりリテーナ５０のストッパーフランジ５１が仮保持されており、成形天井１０をルーフパネル４０に取り付けた後、アシストグリップ２０の取付台座２３をルーフパネル４０側に押し込めば、サイドブラケット３０のバネ片３４が撓み変形して、リテーナ５０は取付方向に沿ってスライドして、クリップ６０がルーフパネル４０の取付孔４１に係着することにより、アシストグリップ２０の取り付けが完了する。
【００５０】
これと同様に第５実施形態は、図１２（ａ），（ｂ）に示すように、リテーナ５０のストッパーフランジ５１に係合片５５を形成し、サイドブラケット３０に係合片５５と係合する係合部３５を設け、両者の係合作用により、アシストグリップ２０を成形天井１０に仮保持状態としても良く、成形天井１０をルーフパネル４０に取り付けた後、アシストグリップ２０の取付台座２３をルーフパネル４０側に押し込めば、係合片５５と係合部３５の係着が解除され、リテーナ５０が取付方向にスライド動作して、クリップ６０がルーフパネル４０の取付孔４１内に係着することにより、アシストグリップ２０を確実に取り付けることができる。
【００５１】
このように、リテーナ５０、クリップ６０、あるいはサイドブラケット３０にアシストグリップ２０の仮保持手段を設けることで、成形天井１０に対してアシストグリップ２０の仮保持状態をスナップフィット式に維持でき、成形天井１０のモジュール取付時、アシストグリップ２０がグラツクことがなく、組付け作業性を良好に維持できる。尚、仮保持手段をどこに設けるかは適宜選択できる。
【００５２】
次に、図１３は、リテーナ５０とサイドブラケット３０との関係を示す本願の第６実施形態であり、上述したガイド用ボス３３に替えて、（ａ）〜（ｈ）に示すように、リテーナ５０のスライド時におけるガイド機能を持つものであれば、形状等を限定するものではない。
【００５３】
例えば、図１３（ａ）に示すように、リテーナ５０の４隅に切欠き５６を設け、これに対応して４隅部に角柱状のガイド用ボス３６を対応させても良く、図１３（ｂ），（ｃ）に示すように、切欠き５６と角柱状のガイド用ボス３６の設置箇所を変更しても良い。
【００５４】
また、図１３（ｄ）に示すように、リテーナ５０の４辺に沿ってプレート状のガイド壁３７を設けても良く、このガイド壁３７は、図１３（ｅ），（ｆ）のように断続的に設けても良い。
【００５５】
尚、図１３（ｇ）のように、リテーナ５０の中空部５７にガイド壁３７をガイドさせるようにしても良く、図１３（ｈ）のように、形状を十字状ガイド用ボス３８にしても良い。
【００５６】
上述した実施形態は、成形天井１０とアシストグリップ２０のモジュール化構造について説明したが、成形天井１０に対してサンバイザ用ブラケット、ホルダ、あるいはルームミラー用ブラケット等のモジュール化構造について適用することも可能であり、成形天井１０の室内側に装着されるアクセサリーパーツ全般に適用できる。
【００５７】
【発明の効果】
以上説明した通り、本発明に係る成形天井におけるモジュール化構造は、アクセサリーパーツの取付台座に設けたリテーナを成形天井の取付用開口、あるいは取付用開口裏面側のサイドブラケットの開口に取付方向にスライド自在となるように挿入し、アクセサリーパーツを成形天井に対して仮保持状態とした後、成形天井をルーフパネルに取り付け、その後、リテーナをパネルの面直方向に押し込んでクリップ止めするというものであるから、クリップが成形天井から裏面側に突出することがないため、車体ユニットとの干渉を有効に回避できるとともに、一人作業でルーフパネルに対して成形天井並びに各種アクセサリーパーツを確実かつ簡単に取り付けることができ、取付作業性を向上させることができるという効果を有する。
【００５８】
更に、リテーナ、クリップ、あるいはサイドブラケットのいずれかにスナップフィット方式を用いたアクセサリーパーツの仮保持手段を付与すれば、アクセサリーパーツを成形天井に仮保持した状態ではアクセサリーパーツはガタツクことがないため、取付作業性が向上するという効果を有する。
【００５９】
また、アクセサリーパーツに装着されるリテーナと成形天井裏面のサイドブラケットとの間にリテーナのスライド方向に沿うガイド機構を設ければ、ルーフパネルに対して成形天井を取り付けた後、アクセサリーパーツの取付座をルーフパネル側に押し込む際、この押込み力が忠実にクリップに伝達され、ルーフパネルに対するアクセサリーパーツの取付作業性を向上させることができるという効果を有する。
【図面の簡単な説明】
【図１】本発明に係るモジュール化構造における成形天井を裏面側から見た斜視図である。
【図２】本発明に係るモジュール化構造の第１実施形態におけるアシストグリップの仮保持状態を示す説明図である。
【図３】図２に示すモジュール化構造におけるアシストグリップの仮保持状態を示す断面図である。
【図４】図２に示すモジュール化構造におけるアシストグリップのパネル取付時の状態を示す説明図である。
【図５】図２に示すモジュール化構造におけるアシストグリップのパネル取付時の状態を示す断面図である。
【図６】図２に示すモジュール化構造に使用するリテーナの側面図である。
【図７】本発明に係るモジュール化構造の第１実施形態におけるリテーナの変形例を示す各説明図である。
【図８】本発明に係るモジュール化構造の第１実施形態におけるクリップの変形例を示す説明図である。
【図９】本発明に係るモジュール化構造の第２実施形態を示す説明図である。
【図１０】本発明に係るモジュール化構造における第３実施形態を示す説明図である。
【図１１】本発明に係るモジュール化構造における第４実施形態を示す説明図である。
【図１２】本発明に係るモジュール化構造の第５実施形態を示す説明図である。
【図１３】本発明に係るモジュール化構造における第６実施形態であり、リテーナとサイドブラケットとのガイド機構の各変形例を示す説明図である。
【図１４】従来のモジュール化天井におけるパネル取付前の状態を示す説明図である。
【図１５】従来のモジュール化天井におけるパネル取付時の状態を示す説明図である。
【符号の説明】
１０  成形天井
１５  取付用開口
２０  アシストグリップ
２３  取付台座
２４  ビス
２５  装飾キャップ
３０  サイドブラケット
３１  取付用開口
３２  取付用ボス
３３  ガイド用ボス
３４  バネ片
３５  係合部
３６  角柱状のガイド用ボス
３７  ガイド壁
３８  十字状ガイド用ボス
４０  ルーフパネル
４１  取付孔
４２  車体ユニット
５０  リテーナ
５１  ストッパーフランジ
５２  バネ片
５３  フランジ
５４  破断用フランジ
５５  係合片
５６  切欠き
５７  中空部
６０  クリップ
６１  羽根片
６２  嵌合フランジ
【図１】
0004020238.tif 000002
【図２】
0004020238.tif 000003
【図３】
0004020238.tif 000004
【図４】
0004020238.tif 000005
【図５】
0004020238.tif 000006
【図６】
0004020238.tif 000007
【図７】
0004020238.tif 000008
【図８】
0004020238.tif 000009
【図９】
0004020238.tif 000010
【図１０】
0004020238.tif 000011
【図１１】
0004020238.tif 000012
【図１２】
0004020238.tif 000013
【図１３】
0004020238.tif 000014
【図１４】
0004020238.tif 000015
【図１５】
0004020238.tif 000016